(57)【要約】【課題】吸収コアをより身体にフィットさせ、漏れを抑制できる吸収性物品を提供する。【解決手段】吸収性物品の吸収コア(31)は、中央域における吸収コアの外側縁から幅方向の内側に向かい、かつ幅方向に対して傾斜して延びる第１低目付部(341)と、第１低目付部よりも後側に設けられた第２低目付部(342)と、を有する。中央域には、吸収コアが厚み方向に圧縮された第１圧搾部(81)が形成されている。第１圧搾部(81)は、第１低目付部の少なくとも一部に重なり、かつ第１低目付部に沿って延びている。【選択図】図１
2019187660.tif 000002
【特許請求の範囲】
【請求項１】
互いに直交する前後方向及び幅方向と、
吸収コアと、
着用者の排泄口に当接する排泄口当接部を有する中央域と、
前記吸収コアは、前記中央域における前記吸収コアの外側縁から前記幅方向の内側に向かい、かつ前記幅方向に対して傾斜して延びる第１低目付部と、前記第１低目付部よりも後側に設けられた第２低目付部と、を有し、
前記中央域には、前記吸収コアが厚み方向に圧縮された第１圧搾部が形成されており、
前記第１圧搾部は、前記第１低目付部の少なくとも一部に重なり、かつ前記第１低目付部に沿って延びている、吸収性物品。
【請求項２】
前記吸収性物品は、前記吸収コアの外側縁よりも前記幅方向の外側に延出し、使用時に折り返し可能なウイングを有し、
前記中央域は、前記前後方向における前記ウイングの前端縁と前記ウイングの後端縁との間の領域である、請求項１に記載の吸収性物品。
【請求項３】
前記吸収コアは、周囲の吸収コアよりも厚い中高部を有し、
前記中央域は、前記前後方向における前記中高部の前端縁と前記中高部の後端縁との間の領域である、請求項１に記載の吸収性物品。
【請求項４】
前記第１低目付部は、前記中高部の外側縁よりも前記幅方向の内側に延びている、請求項３に記載の吸収性物品。
【請求項５】
前記第１圧搾部は、前記中高部の外側縁よりも前記幅方向の内側に位置する、請求項３又は請求項４に記載の吸収性物品。
【請求項６】
前記吸収コアが厚み方向に圧縮された一対の前後圧搾部が、前記幅方向において前記中高部を挟んで配置されており、
前記吸収コアの肌対向面側に位置する表面シートと、
前記表面シートの肌対向面側に位置し、起立性の防漏ギャザーと、を有し、
前記防漏ギャザーは、防漏弾性部材の収縮によって起立する収縮部と、前記収縮部の立ち上がりの基点となる基点部と、有し、
前記中央域において、前記基点部は、前記一対の前後圧搾部の距離に対する１／２倍以上である、請求項３から請求項５のいずれか１項に記載の吸収性物品。
【請求項７】
前記中央域よりも前側に位置する前側域及び前記中央域よりも後側に位置する後側域において、前記基点部は、前記吸収コアに重なる領域に配置されている、請求項６に記載の吸収性物品。
【請求項８】
前記前側域及び前記後側域において、前記収縮部の頂点と前記基点部の前記幅方向の距離は、前記一対の前後圧搾部の前記幅方向の長さの１／２倍以上である、請求項７に記載の吸収性物品。
【請求項９】
前記第２低目付部は、前記中央域よりも後側に設けられている、請求項１から請求項８のいずれか1項に記載の吸収性物品。
【請求項１０】
前記吸収コアは、前記第２低目付部よりも後側に設けられた第３低目付部を有する、請求項１から請求項９のいずれか１項に記載の吸収性物品。
【請求項１１】
前記吸収性物品は、前記中央域よりも後側において、前記幅方向の外側に膨らんだヒップフラップを有し、
前記第３低目付部は、前記ヒップフラップの外側縁よりも前側に設けられている、請求項１０に記載の吸収性物品。
【請求項１２】
前記吸収コアは、前記吸収コアの前記幅方向の中心を跨ぎ、前記前後方向に延びる前後低目付部を有し、
前記前後低目付部の後端縁は、前記第３低目付部よりも前側に設けられている、請求項１１に記載の吸収性物品。
【請求項１３】
前記吸収コアは、前記吸収コアの前記幅方向の中心を跨ぎ、前記前後方向に延びる前後低目付部を有し、
前記第２低目付部は、前記吸収コアの外側縁から前記幅方向の内側に向かい、かつ前記幅方向に対して傾斜して延びており、
前記前後低目付部は、前記前後方向において前記第２低目付部の後端縁を跨いでいる、請求項１から請求項１２のいずれか１項に記載の吸収性物品。
【請求項１４】
前記吸収性物品は、前記吸収性物品を前後方向に折り畳むための折り線を有し、
前記第１低目付部は、前記折り線を有しない領域に配置されている、請求項１から請求項１３のいずれか1項に記載の吸収性物品。
【請求項１５】
前記吸収コアの肌対向面側に位置する表面シートと、
前記表面シートの肌対向面側に位置し、起立性の防漏ギャザーと、を有し、
前記防漏ギャザーは、防漏弾性部材の収縮によって起立する収縮部と、前記収縮部の立ち上がりの基点となる基点部と、有し、
前記中央域において、前記基点部は、前記吸収コアの外側縁よりも前記幅方向の外側に配置されている、請求項１から請求項１４のいずれか１項に記載の吸収性物品。
【請求項１６】
前記前後方向における前記第１低目付部と前記第２低目付部の間の領域には、前記吸収コアが厚み方向に圧縮され、かつ前記前後方向に延びる前後圧搾部が形成されている、請求項１から請求項１５のいずれか１項に記載の吸収性物品。
【請求項１７】
前記第２低目付部は、前記中央域よりも後側において、前記幅方向に間隔を空けて一対で設けられている、請求項１から請求項１６のいずれか１項に記載の吸収性物品。
【請求項１８】
前記吸収性物品の平面視にて、前記第１圧搾部は、前記第１低目付部の外縁よりも内側のみに配置されている、請求項１から請求項１７のいずれか１項に記載の吸収性物品。
【請求項１９】
前記第２低目付部は、前記幅方向に対して傾斜して延び、
前記吸収コアが厚み方向に圧縮された第２圧搾部が、前記吸収性物品の平面視にて前記第２低目付部の外縁よりも内側のみに形成されている、請求項１から請求項１８のいずれか1項に記載の吸収性物品。
【発明の詳細な説明】
【技術分野】
【０００１】
本発明は、生理用ナプキン等の吸収性物品に関する。
【背景技術】
【０００２】
経血やおりものなどを吸収するための生理用ナプキン、パンティライナー、失禁パッド等の吸収性物品が知られている。吸収性物品は、排泄口から排泄された体液を吸収するように構成されており、身体に対するフィット性が求められている。例えば、特許文献１には、吸収コアに複数の切れ込みを設けた吸収性物品が開示されている。当該吸収性物品は、切れ込みが開いたり閉じたりすることによって、吸収コアが身体に対してフィットするように構成されている。
【先行技術文献】
【特許文献】
【０００３】
【特許文献１】特開２００９−１５３７３６号公報
【発明の概要】
【発明が解決しようとする課題】
【０００４】
特許文献１の吸収性物品の切れ込みは、前後方向に間隔を空けて設けられている。よって、前後方向に沿う断面においては、身体の丸みにフィットするが、幅方向に沿った断面において、身体に十分にフィットしないおそれがある。特に、着用者の排泄口と対向する排泄口当接部を有する中央域では、身体に対する隙間が生じることにより、漏れが生じるおそれがあった。
【０００５】
そこで、吸収コアをより身体にフィットさせ、漏れを抑制できる吸収性物品が望まれる。
【課題を解決するための手段】
【０００６】
一態様に係る吸収性物品は、互いに直交する前後方向及び幅方向と、吸収コアと、着用者の排泄口に当接する排泄口当接部を有する中央域と、前記吸収コアは、前記中央域における前記吸収コアの外側縁から前記幅方向の内側に向かい、かつ前記幅方向に対して傾斜して延びる第１低目付部と、前記第１低目付部よりも後側に設けられた第２低目付部と、を有し、前記中央域には、前記吸収コアが厚み方向に圧縮された第１圧搾部が形成されており、前記第１圧搾部は、前記第１低目付部の少なくとも一部に重なり、かつ前記第１低目付部に沿って延びている。
【図面の簡単な説明】
【０００７】
【図１】図１は、肌対向面側から見た実施形態に係る吸収性物品の平面図である。
【図２】図２は、非肌対向面側から見た実施形態に係る吸収性物品の平面図である。
【図３】図３は、図１に示すＡ−Ａ線に沿った吸収性物品の断面図である。
【図４】図４は、図１に示すＢ−Ｂ線に沿った吸収性物品の断面図である。
【図５】図５は、肌対向面側から見た吸収コアの平面図である。
【図６】図６は、図１に示すＡ−Ａ線に沿った吸収性物品の断面における着用状態を示す図である。
【図７】図７は、吸収性物品の前後方向に沿った吸収性物品の断面における着用状態を示す図である。
【図８】図８は、吸収コアの変形態様を説明するための図である。
【０００８】
（１）実施形態の概要
本明細書及び添付図面の記載により、少なくとも以下の事項が明らかとなる。
一態様に係る吸収性物品は、互いに直交する前後方向及び幅方向と、吸収コアと、着用者の排泄口に当接する排泄口当接部を有する中央域と、前記吸収コアは、前記中央域における前記吸収コアの外側縁から前記幅方向の内側に向かい、かつ前記幅方向に対して傾斜して延びる第１低目付部と、前記第１低目付部よりも後側に設けられた第２低目付部と、を有し、前記中央域には、前記吸収コアが厚み方向に圧縮された第１圧搾部が形成されており、前記第１圧搾部は、前記第１低目付部の少なくとも一部に重なり、かつ前記第１低目付部に沿って延びている。
【０００９】
本態様によれば、中央域において前後方向の一定の範囲に亘って、幅方向の外側から幅方向の内側に吸収コアが押圧され、着用者の排泄口に向かって隆起する。よって、着用者の排泄口に密着し、漏れを抑制できる。また、前後方向に間隔を空けて第１低目付部及び第２低目付部が設けられており、吸収コアの変形基点が前後方向に複数形成され、身体の丸みに沿って吸収コアが配置されやすい。中央域に第１低目付部による変形基点が形成されるため、中央域において吸収コアが隆起しても当該変形基点によって折れ曲がり易くなり、中央域の吸収コアを身体に沿って配置し、漏れを抑制できる。
【００１０】
好ましい一態様によれば、前記吸収性物品は、前記吸収コアの外側縁よりも前記幅方向の外側に延出し、使用時に折り返し可能なウイングを有し、前記中央域は、前記前後方向における前記ウイングの前端縁と前記ウイングの後端縁との間の領域であってよい。
【００１１】
本態様によれば、ウイングが配置された領域の前後方向の一定の範囲に亘って、幅方向の外側から幅方向の内側に吸収コアが押圧され、着用者の排泄口に向かって隆起する。よって、着用者の排泄口に密着し、漏れを抑制できる。
【００１２】
好ましい一態様によれば、前記吸収コアは、周囲の吸収コアよりも厚い中高部を有し、
前記中央域は、前記前後方向における前記中高部の前端縁と前記中高部の後端縁との間の領域であってよい。
【００１３】
本態様によれば、中高部が配置された領域の前後方向の一定の範囲に亘って、幅方向の外側から幅方向の内側に吸収コアが押圧され、着用者の排泄口に向かって隆起する。よって、着用者の排泄口に中高部が密着し、漏れを抑制できる。
【００１４】
好ましい一態様によれば、第１低目付部は、前記中高部の外側縁よりも前記幅方向の内側に位置してよい。
【００１５】
本態様によれば、中央域に幅方向の外側から幅方向の内側に向かう力が掛かった際に、中高部に幅方向内側に向かう力が作用し、中央域において吸収コアがより隆起し易い。更に、第１低目付部が基点となって中高部が身体に沿うように変形でき、中央域の吸収コアをより身体に沿わせて配置し、漏れを抑制できる。
【００１６】
好ましい一態様によれば、前記第１圧搾部の内側縁は、前記中高部の外側縁よりも前記幅方向の内側に位置してよい。
【００１７】
本態様によれば、中央域に幅方向の外側から幅方向の内側に向かう力が掛かった際に、中高部に幅方向内側に向かう力が作用し、中央域において吸収コアがより隆起し易い。
【００１８】
好ましい一態様によれば、前記吸収コアが厚み方向に圧縮された一対の前後圧搾部が、前記幅方向において前記中高部を挟んで配置されており、前記吸収コアの肌対向面側に位置する表面シートと、前記表面シートの肌対向面側に位置し、起立性の防漏ギャザーと、を有し、前記防漏ギャザーは、防漏弾性部材の収縮によって起立する収縮部と、前記収縮部の立ち上がりの基点となる基点部と、有し、前記中央域において、前記基点部は、前記一対の前後圧搾部の距離に対する１／２倍以上であるよい。
【００１９】
本態様によれば、幅方向において中高部を挟んで配置された一対の圧搾部間は、着用者の脚によって挟まれることによって凸状に変形する領域である。基点部から立ち上がる収縮部の高さが、凸状に変形した吸収コアの高さと同じ又は当該吸収コアの高さよりも高くなる。よって、防漏ギャザーによって横漏れを防止できる。
【００２０】
好ましい一態様によれば、前記中央域よりも前側に位置する前側域及び前記中央域よりも後側に位置する後側域において、前記基点部は、前記吸収コアに重なる領域に配置されてよい。
【００２１】
本態様によれば、前側域の基点部と後側域の基点部は、中央域の基点部よりも幅方向の内側に位置し、かつ吸収コアに重なっているため、収縮部の収縮によって前側域の基点部と後側域の基点部が前後方向において近づくように吸収コアが変形し易い。前後方向に沿う断面において、吸収コアがカーブ形状に変形し、身体の断面における丸みに沿って吸収コアを配置し易くなる。
【００２２】
好ましい一態様によれば、前記前側域及び前記後側域において、前記収縮部の頂点と前記基点部の前記幅方向の距離は、前記一対の前後圧搾部の前記幅方向の長さの１／２倍以上であってよい。
【００２３】
本態様によれば、基点部から立ち上がる収縮部の高さが凸状に変形した吸収コアの高さと同じ又は当該吸収コアの高さよりも高くなる。よって、防漏ギャザーによって横漏れを防止できる。
【００２４】
好ましい一態様によれば、前記第２低目付部は、前記中央域よりも後側に設けられてよい。
【００２５】
本態様によれば、中央域よりも後側の領域は、臀部に対向して配置される。当該臀部に対向して配置される領域に第２低目付部による変形基点が形成され、臀部の丸みに沿って吸収コアを配置することができる。
【００２６】
好ましい一態様によれば、前記吸収コアは、前記第２低目付部よりも後側に設けられた第３低目付部を有してよい。
【００２７】
本態様によれば、前後方向に間隔を空けて３つの変形基点が形成され、身体の前後方向に延びる丸みに対して吸収コアがより沿い易い。
【００２８】
好ましい一態様によれば、前記吸収性物品は、前記中央域よりも後側において、前記幅方向の外側に膨らんだヒップフラップを有し、前記第３低目付部は、前記ヒップフラップの外側縁よりも前側に設けられてよい。
【００２９】
本態様によれば、当該ヒップフラップの最大幅よりも前側に第３低目付部が設けられているため、臀部の亀裂である臀裂に当たる領域に変形基点が形成され、排泄口に近い位置で吸収コアを身体の丸みに沿わせ易い。また、臀裂に当たる領域に第３低目付部を配置し、吸収コアの目付を低くすることにより、身体に向かって凸状に吸収コアを変形させつつ吸収要素を身体に密着させることが可能となる。加えて、ヒップフラップの最大幅の位置では、第３低目付部等による変形基点を設けられてなく、身体に向かって凸状に変形した吸収コアを身体に密着させつつ、下着を介して吸収性物品によって身体を覆うように配置することができる。
【００３０】
好ましい一態様によれば、前記吸収コアは、前記吸収コアの前記幅方向の中心を跨ぎ、前記前後方向に延びる前後低目付部を有し、前記前後低目付部の後端縁は、前記第３低目付部よりも前側に設けられてよい。
【００３１】
本態様によれば、前後低目付部が第３低目付部よりも前側に設けられているため、前後低目付部による凸状の変形が臀裂よりも後側に形成されることを抑制し、臀裂よりも後側の領域の吸収コアがフラットになり易い。
【００３２】
好ましい一態様によれば、前記吸収コアは、前記吸収コアの前記幅方向の中心を跨ぎ、前記前後方向に延びる前後低目付部を有し、前記第２低目付部は、前記吸収コアの外側縁から前記幅方向の内側に向かい、かつ前記幅方向に対して傾斜して延びており、前記前後低目付部は、前記前後方向において前記第２低目付部の後端縁を跨いでよい。
【００３３】
本態様によれば、着用時に幅方向の外側から幅方向の内側に向かう力がかかると、第２低目付部が変形し、当該力を吸収し、更に当該力を受けると、第２低目付部よりも幅方向の内側の領域が着用者側に隆起する。このとき、前後低目付部が吸収コアの幅方向の中央に設けられているため、第２低目付部よりも幅方向の内側の領域が前後低目付部を頂点として凸状に変形し易い。前後低目付部が第２低目付部の後端縁を跨いで延びているため、前後低目付部を頂点とした凸状の変形が前後方向に延びて形成され易く、第２低目付部が設けられた領域から第２低目付部よりも後側の領域に亘って形成される。
【００３４】
好ましい一態様によれば、前記吸収性物品は、前記吸収性物品を前後方向に折り畳むための折り線を有し、前記第１低目付部は、前記折り線を有しない領域に配置されてよい。
【００３５】
本態様によれば、折り癖によって第1低目付部が変形し難くなることを抑制し、着用者の脚によって挟まれた際に第１低目付部が変形し易くなる。
【００３６】
好ましい一態様によれば、前記前後方向における前記第１低目付部と前記第２低目付部の間の領域には、前記吸収コアが厚み方向に圧縮され、かつ前記前後方向に延びる前後圧搾部が形成されてよい。
【００３７】
本態様によれば、第１低目付部が設けられた領域と第２低目付部が設けられた領域を前後圧搾部によって分断できる。よって、第１低目付部が設けられた領域と、第２低目付部が設けられた領域と、これらの間の領域と、がそれぞれ身体に沿い易くなる。
【００３８】
好ましい一態様によれば、前記第２低目付部は、前記中央域よりも後側において、前記幅方向に間隔を空けて一対で設けられてよい。
【００３９】
本態様によれば、中央域よりも後側の領域は、臀部に対向して配置される。当該臀部は、幅方向に沿った断面においても丸みを帯びており、幅方向に連続する変形基点が吸収コアに形成されると、吸収コアの一部が身体から離れるおそれがある。第２低目付部が幅方向に間隔を空けて配置されているため、各第２低目付部が設けられた領域と、これらの間の領域と、がそれぞれ身体に沿い易くなる。
【００４０】
好ましい一態様によれば、前記吸収性物品の平面視にて、前記第１圧搾部は、前記第１低目付部の外縁よりも内側のみに配置されてよい。
【００４１】
本態様によれば、第１低目付部内に第１圧搾部が配置されているため、変形による第１低目付部の型崩れを抑制でき、吸収コアの変形を持続できる。また、着用者の脚が吸収コアの外側縁に当たった際に、第１圧搾部によって吸収コアを押圧するよりも前に第１低目付部が変形し、吸収コアが凸状に変形し易い。比較的剛性が高い第１圧搾部が直接脚に当たり難く、装着感の悪化を抑制できる。第１圧搾部が第１低目付部内の吸収コアを押圧し、第１低目付部を超えた領域で吸収コアを押圧することを抑制できる。
【００４２】
好ましい一態様によれば、前記第２低目付部は、前記幅方向に対して傾斜して延び、前記吸収コアが厚み方向に圧縮された第２圧搾部が、前記吸収性物品の平面視にて前記第２低目付部の外縁よりも内側のみに形成されてよい。
【００４３】
本態様によれば、着用時に幅方向の外側から幅方向の内側に向かう力がかかると、第１低目付部及び第２低目付部の両方によって変形を吸収するとともに、第１低目付部よりも幅方向の内側の領域及び第２低目付部よりも内側の領域が前後低目付部を頂点として凸状に変形し易い。よって、前後方向の一定の範囲に亘って、吸収コアが着用者の身体に密着し、漏れを抑制できる。
【００４４】
（２）吸収性物品の構成
以下、図面を参照して、実施形態に係る吸収性物品ついて説明する。吸収性物品は、生理用ナプキン、パンティライナー、失禁パッド、糞便パッドのような吸収性物品であってよい。吸収性物品は、下着のような着用物品の内側に取り付けられて使用される物品であってよい。本実施の形態の吸収性物品１は、夜用の生理用ナプキンであり、吸収性物品１の前後方向の長さは、２８５ｍｍ以上である。
【００４５】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれる場合がある。
【００４６】
図１は、肌対向面側から見た実施形態に係る吸収性物品１の平面図である。図２は、非肌対向面側から見た実施形態に係る吸収性物品１の平面図である。図１及び図２に示す平面図は、伸長状態の平面図である。伸長状態は、防漏ギャザー等による皺が形成されないまで吸収性物品を伸ばした状態である。ここで、「肌対向面側」は、使用中に着用者の肌に面する側に相当する。「非肌対向面側」は、使用中に着用者の肌とは反対に向けられる側に相当する。図３は、図１に示すＡ−Ａ線に沿った断面図であり、図４は、図１に示すＢ−Ｂ線に沿った断面図である。
【００４７】
吸収性物品１は、前後方向Ｌ及び幅方向Ｗを有する。前後方向Ｌは、着用者の前側（腹側）から後側（背側）に延びる方向、又は着用者の後側から前側に延びる方向である。幅方向Ｗは、前後方向Ｌと直交する方向である。吸収性物品は、肌対向面側Ｔ１と非肌対向面側Ｔ２に延びる厚み方向Ｔを有する。
【００４８】
吸収性物品１は、中央域Ｓ３、前側域Ｓ１及び後側域Ｓ２を有する。中央域Ｓ３は、着用者の排泄口（例えば膣口）に当接する排泄口当接部を有する領域である。吸収性物品が下着に装着されたときに、中央域Ｓ３は、下着の股下部に位置する。つまり、中央域は、着用者の股下、すなわち着用者の両足の間に配置される領域である。中央域Ｓ３は、吸収性物品において前側に偏倚してよい。より詳細には、中央域Ｓ３の前後方向Ｌの中心は、吸収性物品１の前後方向Ｌの中心よりも前側に位置してよい。
【００４９】
前側域Ｓ１は、中央域Ｓ３よりも前側に位置する。前側域Ｓ１の前端縁は吸収性物品１の前端縁を規定する。後側域Ｓ２は、中央域Ｓ３よりも後側に位置する。後側域Ｓ２の後端縁は吸収性物品１の後端縁を規定する。後側域Ｓ２の前後方向Ｌの長さは、中央域Ｓ３の前後方向Ｌの長さよりも長くなっていてよい。
【００５０】
中央域Ｓ３には、後述するウイング３が設けられていてよい。また、後側域Ｓ２には、幅方向Ｗの外側に膨らんだヒップフラップ４が設けられていてよい。
【００５１】
ウイング３の前端縁は、ウイング３の付け根によって規定されており、最も幅方向Ｗの内側に窪んだ２つの部分のうち、前側に位置する部分に相当する。ウイング３の前端縁は、中央域Ｓ３と前側域Ｓ１との境界を規定していてもよい。ウイング３の後端縁は、ウイング３の付け根によって規定されており、最も幅方向Ｗの内側に窪んだ２つの部分のうち、後側に位置する部分に相当する。ウイング３の後端縁は、中央域Ｓ３と後側域Ｓ２との間に位置していてよい。ここで、前後方向Ｌにおけるウイング３の前端縁とウイング３の後端縁との間の領域を「ウイング域」と称する。ウイングを有する吸収性物品では、中央域Ｓ３は、ウイング域と実質的に同じ領域となる。したがって、本明細書において、「中央域Ｓ３」との語は、「ウイング域」と読み替えることができることに留意すべきである。すなわち、中央域は、前後方向におけるウイングの前端縁とウイングの後端縁との間の領域である。
【００５２】
吸収性物品１は、着用者の肌に向けられる表面シート１０と、着用者の肌とは反対側に向けられる裏面シート２０と、表面シート１０と裏面シート２０の間に配置された吸収コア３１と、を含む。表面シート１０は、使用中に着用者の肌の方に向く。裏面シート２０は、使用中に、着用者の肌とは反対側に向けられる。吸収コア３１は、体液を吸収する吸収材料を含み、吸収性物品の前後方向Ｌに沿って延びている。
【００５３】
表面シート１０は、不織布、織布、有孔プラスチックシート、メッシュシート等、液体を透過する構造を有する任意のシート状の材料から構成される。織布や不織布の素材としては、天然繊維、化学繊維のいずれも使用できる。
【００５４】
裏面シート２０は、液不透過性のシートである。裏面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。
【００５５】
吸収コア３１は、少なくとも中央域Ｓ３及び後側域Ｓ２に配置される。また、吸収体コアは、中央域Ｓ３から前側域Ｓ１まで延びていてもよい。吸収コア３１は、液体を吸収する吸収材料によって構成されてよい。吸収コア３１は、コアラップ（図示せず）によって包まれていてよい。コアラップは、少なくとも吸収コア３１よりも肌面側で吸収コア３１を覆っていればよい。具体的一例として、コアラップは、吸収コア３１よりも肌面側に配置されるシートと、吸収コア３１よりも非肌面側に配置されるシートと、を有していてよい。
【００５６】
吸収コア３１を構成する吸収材料は、例えば、親水性繊維、パルプ及び高吸水性高分子（ＳＡＰ）から形成できる。コアラップは、例えば不織布やティッシュシートから構成することができる。コアラップを構成する肌面側のシートと非肌面側のシートは、同一のシートから構成されていてもよい。変形例として、吸収コア３１は、コアラップによって覆われていなくてもよい。この場合、吸収コア３１は、表面シート１０と裏面シート２０とによって覆われていればよい。吸収コアの構成については、後述にて詳細に説明する。
【００５７】
吸収性物品１は、少なくとも吸収コア３１が厚み方向に圧縮された圧搾部が複数形成されている。圧搾部は、一対の第１圧搾部８１と、一対の第２圧搾部８２と、一対の第３圧搾部８３と、第１前後圧搾部８４、第２前後圧搾部８５及び第３前後圧搾部８６を有してよい。圧搾部は、少なくとも吸収コア３１が厚み方向Ｔに圧縮されていればよい。本実施の形態の圧搾部は、表面シート１０と吸収コア３１が厚み方向に圧縮されている。圧搾部は、肌対向面側Ｔ１から非肌対向面側Ｔ２に向かって圧縮されている。よって、図３及び図４に示すように、圧搾部は、肌対向面側Ｔ１から非肌対向面側Ｔ２に向かって凹んでいる。なお、他の形態において、圧搾部は、非肌対向面側Ｔ２から肌対向面側Ｔ１に向かって圧縮されていてもよい。圧搾部の構成については、後述にて詳細に説明する。
【００５８】
吸収性物品１は、表面シート１０と吸収コア３１との間に配置されたセカンドシート（図示せず）を有してよい。セカンドシートは、体液等の液体を透過する液透過性のシートであってよい。好ましくは、セカンドシートの親水度は表面シート１０の親水度よりも高い。セカンドシートは、表面シート１０と同様の材料から構成することができる。
【００５９】
吸収性物品１は、表面シート１０の外側縁を覆うサイドシート１５を有してよい。サイドシート１５は、幅方向Ｗにおける表面シート１０の外側縁を覆い、表面シート１０よりも幅方向Ｗの外側へ延びている。なお、本実施形態では、吸収性物品１はサイドシート１５を有しているが、吸収性物品１はサイドシート１５を有していなくてもよい。この場合、表面シート１０は吸収コア全体を覆っていてよい。なお、本発明における外側縁は、幅方向における外側端であり、内側縁は、幅方向における内側端である。
【００６０】
サイドシート１５は、表面シート１０と同様の材料から構成することができる。ただし、表面シート１０に付着した体液が、サイドシート１５を乗り越えて、幅方向Ｗにおいて吸収性物品１の外側へ漏れ出すことを防止するためには、サイドシート１５は、疎水性又は撥水性を有することが好ましい。サイドシート１５は、幅方向Ｗにおける吸収コアの外側縁、ウイング３及びヒップフラップ４に配置されていてよい。
【００６１】
吸収性物品１は、起立性の防漏ギャザー６０を有してよい。防漏ギャザー６０は、表面シート１０の肌対向面側Ｔ１に位置し、着用時に表面シート１０よりも肌対向面側Ｔ１に起立可能に構成されている。防漏ギャザー６０は、サイドシート１５と、防漏弾性部材６１と、によって構成されている。防漏ギャザー６０は、防漏弾性部材６１の収縮によって起立する収縮部６２と、収縮部６２よりも幅方向Ｗの外側に位置し、かつ収縮部の立ち上がりの基点となる第１基点部６３と、収縮部６２よりも前後方向の外側に位置し、かつ収縮部の立ち上がりの基点となる第２基点部６４と、を有する。
【００６２】
サイドシート１５は、防漏ギャザーの内側縁において幅方向Ｗの外側に折り返され、２層に積層されており、この２層のサイドシート間に防漏弾性部材６１が配置されている。また、２層に積層されたサイドシート１５は、長手方向に延びる折り線によって複数回折り畳まれている。この複数回折り畳まれたサイドシート１５は、収縮部６２において表面シート１０に接合されてなく、第１基点部６３及び第２基点部６４において表面シートに接合されている。サイドシート１５は、防漏弾性部材６１が収縮することによって、複数回折り畳まれたサイドシートが展開し、防漏ギャザーの内側縁が頂点となるように起立する。よって、第１基点部６３が設けられた領域の防漏ギャザーの立ち上がる高さは、第１基点部６３の内側縁と展開した状態のサイドシートの内側縁（防漏ギャザーの内側縁）との幅方向の距離である。第１基点部６３と第２基点部６４は、幅方向Ｗにおいてずれている。第１基点部６３は、吸収コア３１の外側縁よりも幅方向Ｗの外側に位置している。第２基点部６４は、平面視にて吸収コア３１に重なって配置されている。
【００６３】
前述したように、吸収性物品１は、ウイング３及びヒップフラップ４を有する。ウイング３及びヒップフラップ４は、中央域Ｓ３における吸収コア３１の外側縁よりも幅方向Ｗの外側に延出している。
【００６４】
ウイング３及びヒップフラップ４は、サイドシート１５と裏面シート２０との積層によって構成されていてよい。ウイング３は、裏面シート２０側に折り返し可能に構成されている。ウイング３は、使用時に下着のクロッチ部の非肌面側に折り返される。
【００６５】
ヒップフラップ４は、ウイング３よりも後側に位置し、後側域Ｓ２に設けられている。ヒップフラップ４は、使用時に折り返されず、下着と着用者の臀部との間に配置される。本実施形態では、ヒップフラップ４には吸収材料が設けられていない。この代わりに、ヒップフラップ４には、吸収材料が設けられていてもよい。
【００６６】
次いで、吸収コア３１及び圧搾部に８０について説明する。本実施の形態の吸収性物品１は、吸収コア３１及び圧搾部の構成によって、吸収コア３１が身体にフィットし易くなるように構成されている。図５は、吸収コア３１の肌対向面側Ｔ１から見た平面図である。吸収コア３１は、目付の異なる領域を複数有してよい。吸収コア３１は、高目付部３３と、低目付部３４と、中目付部３５と、を少なくとも有してよい。高目付部３３の吸収材料（パルプ）の目付は、中目付部３５の吸収材料の目付よりも高く、中目付部３５の吸収材料（パルプ）の目付は、低目付部３４の吸収材料（パルプ）の目付よりも高い。高目付部３３は、周囲の吸収コア３１よりも厚く、中高部３６を構成する。高目付部３３は、前後方向に間隔を空けて配置された第１高目付部３３１及び第２高目付部３３２を有する。第２高目付部３３２は、第１高目付部３３１よりも後側に位置する。第１高目付部３３１と第２高目付部３３２の前後方向Ｌの間には、第１低目付部３４１が配置されてよい。
【００６７】
第１高目付部３３１の目付と、第２高目付部３３２の目付は、異なっていてもよいし、位置していてもよい。本実施の形態の第１高目付部の目付は、最も高い部分で６５０ｇ／ｍ２である。第２高目付部３３２の目付は、最も高い部分で８５０ｇ／ｍ２である。好適には、第２高目付部３３２の目付は、第１高目付部３３１の目付よりも高くてよい。第２高目付部３３２は、中央域Ｓ３の前後方向Ｌの中心に配置されており、体液がより導かれ易い。第２高目付部３３２の目付を高くすることによって、体液の吸収性能を確保し、また、第２高目付部３３２の厚さが厚くなりフィット性を高めることができる。また、第１高目付部３３１の目付が比較的低いため、中目付部よりも高い目付によって吸収性能を確保しつつ、身体に対するフィット性を高めることができる。
【００６８】
高目付部３３は、幅方向Ｗにおいて吸収コア３１の中央に配置されてよい。高目付部３３の外側縁は、吸収コア３１の外側縁３１Ｅよりも幅方向Ｗの内側に位置してよい。高目付部（第１高目付部３３１及び第２高目付部３３２）３３の少なくとも一部は、中央域Ｓ３に配置されてよい。高目付部３３は、中央域Ｓ３を超えて前後方向Ｌに延びていてもよい。高目付部３３の前後方向Ｌの中心は、吸収性物品１の前後方向Ｌの中心よりも前側に位置してよいし、中央域Ｓ３の前後方向の中心よりも前側に位置してよい。なお、高目付部３３の前後方向Ｌの中心は、第１高目付部３３１の前端縁と第２高目付部３３２の後端縁との前後方向の中心となる。
【００６９】
また、図３に示すように、高目付部３３には、吸収性物品１の肌対向面から吸収コア３１の非肌対向目面まで厚み方向Ｔに貫通する貫通孔３８が複数形成されてよい。貫通孔３８は、平面視にて間隔を空けて複数形成されてよい。貫通孔３８が高目付部３３に形成されていることにより、一度に多くの経血や尿等の体液が排泄されたときにも、吸収コア３１内部に体液を引き込み、オーバーフローし難くなる。吸収性物品の肌対向面のドライ性を保ち、フィット感及び装着感の良さを効果的に保つことが可能となる。
【００７０】
貫通孔３８は、高目付部３３よりも後側に設けられていてもよく、後側域Ｓ２の第２低目付部３４２に設けられていてもよい。寝姿勢において重力方向によって肌を伝い流れる体液を、吸収体側により引き込み易く。
【００７１】
高目付部３３の外側縁３３Ｅと吸収コア３１の外側縁３１Ｅの間には、高目付部３３よりも目付が低く、かつ低目付部３４よりも目付が高い中目付部３５が配置されている。中目付部３５は、目付が異なる領域のうち、吸収コア３１の外側縁に配置された領域である。なお、吸収コア３１の外側縁３１Ｅにおいて目付が異なる領域が設けられている構成にあっては、外側縁３１Ｅにおいて占める割外が最も高い領域である。本実施の形態の中目付部３５の目付は、３００ｇ／ｍ２であり、低目付部３４及び高目付部３３以外の部分であり、吸収コア３１の外側縁３１Ｅの前後方向Ｌの全域に配置されている。
【００７２】
低目付部３４は、第１低目付部３４１と、第１低目付部３４１よりも後側に位置する一対の第２低目付部３４２と、第２低目付部よりも後側に位置する一対の第３低目付部３４３と、前後低目付部３４５と、を少なくとも有してよい。低目付部３４は、中目付部３５よりも目付が低く、剛性が低い。よって、吸収コア３１に力が加わった際に、低目付部が最も変形し易い。よって、低目付部３４が変形して力を吸収したり、低目付部３４が吸収コア３１の変形基点となったりする。
【００７３】
低目付部３４の目付は、１５０ｇ／ｍ２以下であってよく、本実施の形態の低目付部の目付は、１００ｇ／ｍ２である。低目付部３４は、低目付部３４に隣接する吸収コア３１の目付の５０％未満、より好ましくは３５％未満であってよい。低目付部３４とその周辺との目付差を大きくすることにより、吸収コア３１に力が加わった際に、当該力を低目付部３４に局所的に集中させることができる。これにより、後述するように、低目付部が変形し、吸収コア３１をより身体にフィットさせることができる。
【００７４】
低目付部３４、中目付部３５、及び高目付部３３は、次のように規定してよい。吸収コア３１の外側縁３１Ｅにおいて最も占める割合が高い領域を中目付部３５とする。断面視にて、中目付部３５の厚さに対して２０％以上厚さが厚く、平面方向に伸びる部分を高目付部３３とする。高目付部３３と中目付部３５の境界は、中目付部３５の平面方向に延びる部分と、高目付部３３の平面方向に延びる部分と、の厚み方向Ｔの中心を規定し、当該厚み方向Ｔの中心よりも厚い部分を高目付部３３とし、当該厚み方向Ｔの中心よりも薄い部分を中目付部３５とする。同様に、断面視にて、中目付部３５の厚さに対して２０％以上厚さが薄く、平面方向に伸びる部分を低目付部３４とする。低目付部３４と中目付部３５の境界は、中目付部３５の平面方向に延びる部分と、低目付部３４の平面方向に延びる部分と、の厚み方向の中心を規定し、当該厚み方向Ｔの中心よりも厚い部分を中目付部３５とし、当該厚み方向Ｔの中心よりも薄い部分を低目付部３４とする。
【００７５】
第１低目付部３４１は、第１領域３４１Ａと第２領域３４１Ｂを有する。第１領域３４１Ａは、第１高目付部３３１と第２高目付部３３２の間に設けられている。すなわち、第１領域３４１Ａは、第１高目付部３３１と第２高目付部３３２によって挟まれた領域である。第２領域３４１Ｂは、第１領域３４１Ａよりも幅方向Ｗの外側に設けられている。すなわち、第１領域３４１Ａは、第１高目付部３３１及び第２高目付部３３２よりも幅方向の外側に位置する領域である。なお、第１高目付部３３１の外側縁と第２高目付部３３２の外側縁がずれている構成にあっては、幅方向Ｗの内側に位置する高目付部３３の外側縁よりも幅方向Ｗの外側の領域が、第２領域３４１Ｂとなる。第２領域３４１Ｂは、第１領域３４１Ａと実質的に連なる。本発明において実質的に連なるとは、第１領域３４１Ａと第２領域３４１Ｂが物理的に接している構成のみならず、第１領域と第２領域が互いに関連するように配置されている構成も含む概念である。すなわち、第１領域３４１Ａと第２領域３４１Ｂは、離間していてもよい。本実施の形態の第１領域３４１Ａの外側縁と第２領域３４１Ｂの内側縁とは、連なっている。
【００７６】
第１領域３４１Ａの前後方向Ｌの長さは、５ｍｍ以上２５ｍｍ未満であってよく、第２領域３４１Ｂの前後方向Ｌの長さは、５ｍｍ以上２５ｍｍ未満であってよい。第１領域３４１Ａの前後方向Ｌの長さが変化する構成にあっては、第１領域３４１Ａの幅方向Ｗの中心における前後方向Ｌの長さが５ｍｍ以上であってよい。また、第２領域３４１Ｂの前後方向Ｌの長さが変化する構成にあっては、第２領域３４１Ｂの幅方向Ｗの内側縁における前後方向Ｌの長さが５ｍｍ以上であってよい。また、第１領域３４１Ａの前後方向Ｌの長さ及び第２領域３４１Ｂの前後方向Ｌの長さは、吸収コア３１の中目付部３５の厚さ以上であってもよい。第１領域３４１Ａの前後方向Ｌの長さが５ｍｍ以上であることにより、第１高目付部３３１と第２高目付部３３２の間が身体に沿って曲がり易くなる。第１領域３４１Ａの前後方向Ｌの長さが５ｍｍ未満であると、第１高目付部３３１と第２高目付部３３２の間で折れるが、身体に沿って曲がり難いことがある。また、第１領域３４１Ａの前後方向Ｌの長さが２５ｍｍ未満であることにより、排泄口に対するフィット性を確保し、漏れを抑制できる。より好ましくは、第１領域３４１Ａの前後方向Ｌの長さの上限は、高目付部３３の厚さに対する２倍よりも短くてよい。高目付部３３の厚さに対する２倍以下であることにより、排泄口と吸収性物品との隙間を低減し、漏れを抑制することができる。
【００７７】
第１領域３４１Ａ及び第２領域３４１Ｂは、幅方向Ｗに対して傾斜して延びてよい。第１領域３４１Ａ及び第２領域３４１Ｂは、平面視にて前後方向Ｌの外側に向かう凸状の曲線形状である。当該凸状は、前側に向かって膨らむ凸状であってもよいし、後側に向かって膨らむ凸状であってもよい。第１領域３４１Ａの少なくとも一部は、中央域Ｓ３の前後方向の中心よりも前側に位置してよい。
【００７８】
第１低目付部３４１の少なくとも一部は、中央域Ｓ３に設けられている。第１低目付部３４１の第１領域３４１Ａが中央域Ｓ３に設けられていればよい。第２領域３４１Ｂも中央域Ｓ３に設けられていてもよい。第１低目付部３４１の第１領域３４１Ａの少なくとも一部は、中央域Ｓ３の前後方向Ｌの中心よりも前側に位置してよい。第１低目付部３４１は、吸収コア３１の外側縁３１Ｅから幅方向Ｗの内側に向かい、かつ幅方向Ｗに対して傾斜して延びている。本実施の形態の第１低目付部３４１は、第１領域３４１Ａと第２領域３４１Ｂが連なっており、両領域が、幅方向Ｗの内側に向かい、かつ幅方向Ｗに対して傾斜して延びている。第２領域３４１Ｂは、幅方向に対して傾斜して延び、かつ前記吸収コアの外側縁に到達している。第１低目付部３４１は、吸収コア３１の幅方向Ｗの全域に亘って形成されている。第１低目付部３４１は、高目付部３３の外側縁３３Ｅよりも内側に延びてよい。第１低目付部３４１の幅方向Ｗの中央は、第１高目付部３３１と第２高目付部３３２の間に配置され、第１低目付部３４１の幅方向Ｗの側部は、中目付部３５の間に配置されている。なお、他の形態において、第１低目付部３４１は、幅方向Ｗに離間し、一対で配置されていてもよい。
【００７９】
第２低目付部３４２は、第１低目付部３４１と前後方向Ｌにおいて離間しており、第１低目付部３４１よりも後側に設けられている。第２低目付部３４２は、中央域Ｓ３よりも後側に位置してよく、ウイング３の後端縁よりも後側に位置してよい。第２低目付部３４２は、吸収コア３１の外側縁３１Ｅから幅方向Ｗの内側に向かい、かつ幅方向Ｗに対して傾斜して延びてよい。
【００８０】
第３低目付部３４３は、第２低目付部３４２と前後方向Ｌにおいて離間しており、第２低目付部３４２よりも後側に設けられている。第３低目付部３４３は、後側域Ｓ２に配置されてよい。第２低目付部３４２は、吸収コア３１の外側縁３１Ｅから幅方向Ｗの内側に向かい、かつ幅方向Ｗに対して傾斜して延びてよい。
【００８１】
ここで、第１低目付部から第３低目付部における「幅方向Ｗに対して傾斜する」とは、幅方向Ｗに対する角度が４５度未満あってよい。「幅方向Ｗに対して傾斜する」ことにより、第１低目付部３４１から第３低目付部３４３が前後方向Ｌに一定の範囲に亘って配置され、前後方向Ｌに一定の範囲に亘って低目付部３４によって力を吸収し、かつ力を伝達することができる。なお、第１低目付部３４１から第３低目付部３４３は、幅方向Ｗの内側に向かって前側に延びてもよいし、幅方向Ｗの内側に向かって後側に延びてもよい。また、第１低目付部３４１から第３低目付部３４３が幅方向Ｗに延び、前後方向に沿っていないため（前後方向に対する角度が４５度以上であるため）、幅方向の内側に向かう力を受けて当該目付部を基点に変形した際に、低目付部によって挟まれる領域が前後方向で変化し、隆起する高さが高くなり易い部分と低くなり易い部分が前後方向に隣接して形成される。吸収コアが立体的に隆起し易くなり、変形基点が多く形成され、より身体の凹凸に沿い易くなる。
【００８２】
前後低目付部３４５は、後側域Ｓ２に設けられている。前後低目付部３４５は、吸収コア３１の幅方向Ｗの中心を跨いでよい。前後低目付部３４５は、吸収コア３１の幅方向Ｗの中央において、前後方向に沿って設けられている。前後低目付部３４５は、第２高目付部３３２よりも後側かつ中央域Ｓ３よりも後側に設けられている。前後低目付部３４５は、第２高目付部３３２の後端縁から後方に向かって延びてよい。
【００８３】
次いで、圧搾部について説明する。第１圧搾部８１は、第１低目付部３４１の少なくとも一部に重なり、かつ第１低目付部３４１に沿って延びている。第１圧搾部８１が第１低目付部３４１に沿って延びる態様とは、第１低目付部３４１が延びる方向と、第１圧搾部８１が延びる方向と、が一致している構成のみならず、両方向の為す角度が５度未満の構成を含む。また、第１低目付部３４１が延びる方向及び第１圧搾部８１が延びる方向は、各部分が一定の幅を有する構成にあっては当該部分の幅中心を繋ぐ線となる。第１圧搾部８１は、第１低目付部３４１の第２領域３４１Ｂの少なくとも一部に重なり、第２領域３４１Ｂに沿って設けられてよい。第１圧搾部８１の外側縁８１Ｅは、吸収コア３１の外側縁３１Ｅよりも内側に位置してよく、第１圧搾部８１の内側縁８１Ｉは、第１低目付部３４１内で終端してよい。第１圧搾部８１は、中高部３６の外側縁３６Ｅよりも幅方向Ｗの内側に位置してよい。複数の高目付部によって中高部が構成されている構成にあっては、中高部３６の外側縁３６Ｅは、最も幅方向の外側に位置する高目付部の外側縁となる。
【００８４】
また、第２圧搾部８２は、第２低目付部３４２の少なくとも一部に重なり、かつ第２低目付部３４２に沿って延びている。第２圧搾部８２の外側縁８２Ｅは、吸収コア３１の外側縁８１Ｅよりも内側に位置してよく、第２圧搾部８２の内側縁８２Ｉは、第２低目付部３４２の内側縁３４２Ｉよりも幅方向Ｗの外側に位置してよい。第３圧搾部８３は、第３低目付部３４３の少なくとも一部に重なり、かつ第３低目付部３４３に沿って延びている。第３圧搾部８３の外側縁８３Ｅは、吸収コア３１の外側縁３１Ｅよりも内側に位置してよく、第３圧搾部８３の内側縁８３Ｉは、第３低目付部３４３の内側縁３４３Ｉよりも幅方向Ｗの外側に位置してよい。
【００８５】
第１前後圧搾部８４は、第１低目付部３４１よりも前側に設けられている。第１前後圧搾部８４は、前後方向Ｌに延びている。第１前後圧搾部８４の少なくとも一部は、中央域Ｓ３に設けられている。第２前後圧搾部８５は、前後方向Ｌにおいて第１低目付部３４１と第２低目付部３４２の間に設けられている。第２前後圧搾部８５は、前後方向Ｌに延びている。第２前後圧搾部８５の少なくとも一部は、中央域Ｓ３に設けられている。第２前後圧搾部８５は、前後方向に離間した２つの圧搾部によって構成されている。第３前後圧搾部８６は、前後方向Ｌにおいて第２低目付部３４２と第３低目付部３４３の間に設けられている。第３前後圧搾部８６は、前後方向Ｌに延びている。第３前後圧搾部８６は、後側域Ｓ２に設けられている。
【００８６】
第１圧搾部８１、第２圧搾部８２、第３圧搾部８３、第１前後圧搾部８４、第２前後圧搾部８５及び第３前後圧搾部８６は、幅方向Ｗに間隔を空けて一対で設けられている。第１圧搾部８１、第２圧搾部８２、第３圧搾部８３、第１前後圧搾部８４、第２前後圧搾部８５及び第３前後圧搾部８６は、吸収性物品の幅方向Ｗの中心を通り、かつ前後方向Ｌに延びる中心線に対して線対称である。
【００８７】
次いで、図６から図８に基づいて、このように構成された吸収性物品１の着用時の変形態様について説明する。図６は、吸収性物品の平面視における変形状態を示す図である。図６（ａ）は、変形前の状態であり、図６（ｂ）は、変形後の状態である。図７は、身体の幅方向の中心における断面おける吸収性物品の着用状態を模式的に示す図である。図８は、吸収コアの平面視における変形状態を示す図である。図８（ａ）は、変形前の状態であり、図８（ｂ）は、変形後の状態である。
【００８８】
吸収性物品が着用された状態で、中央域Ｓ３は、着用者の脚によって挟まれ、幅方向Ｗの外側から幅方向Ｗの内側に向かう力を受ける。このとき、中央域Ｓ３に設けられた第１低目付部３４１が変形し、当該力を吸収するとともに、第１低目付部３４１に重なる第１圧搾部８１が幅方向Ｗの内側に向けて力を伝達する。よって、図６（ｂ）に示すように、幅方向Ｗにおいて第１圧搾部８１によって挟まれた吸収コア３１が幅方向Ｗの内側に押圧され、着用者の排泄口に向かって隆起する。第１低目付部３４１が幅方向Ｗに対して傾斜し、かつ第１圧搾部８１が第１低目付部３４１に沿って延びているため、第１圧搾部８１によって力を伝達する領域は、前後方向Ｌに一定の範囲を占める。よって、中央域Ｓ３において前後方向に一定の範囲に亘って、幅方向Ｗの外側から幅方向Ｗの内側に吸収コア３１が押圧され、着用者の排泄口に向かって隆起する。よって、着用者の排泄口に密着し、漏れを抑制できる。
【００８９】
第１低目付部３４１及び第２低目付部３４２が前後方向に間隔を空けて設けられており、吸収コア３１の変形基点が前後方向Ｌに複数形成される。よって、図７に示すように、身体の丸みに沿って吸収コア３１が配置されやすい。中央域Ｓ３に第１低目付部３４１による変形基点が形成されるため、中央域Ｓ３において吸収コア３１が隆起しても当該変形基点によって折れ曲がり易くなり、吸収コア３１を排泄口の前後に亘って身体に沿って配置し、漏れを抑制できる。
【００９０】
また、第１低目付部３４１が中高部３６の外側縁３６Ｅよりも幅方向Ｗの内側に延びているため、中央域Ｓ３において幅方向Ｗの内側に向かう力が中高部３６に作用し、中央域Ｓ３において吸収コア３１がより隆起し、身体に沿って配置され易くなる。
【００９１】
中高部３６を構成する第１高目付部３３１と第２高目付部３３２の間に第１低目付部３４１が設けられているため、第１低目付部３４１が基点となって第１高目付部３３１と第２高目付部３３２が身体に沿うように変形できる。中央域Ｓ３の吸収コア３１をより身体に沿わせて配置し、漏れを抑制できる。
【００９２】
第１低目付部３４１の第１領域３４１Ａが中央域（ウイング域）Ｓ３に設けられているため、第１領域３４１Ａによって第１高目付部３３１と第２高目付部３３２を分断し、中央域Ｓ３に前後方向Ｌに曲がる変形基点を設けることができる。よって、高目付部３３において吸収コア３１が隆起する形状であっても、当該変形基点によって折れ曲がり易くなり、中央域Ｓ３の吸収コア３１を身体に沿って配置し、漏れを抑制できる。一般的に、ウイング域の前後方向の中心には、膣口が当たるように装着され、膣口よりも前側の領域は、恥骨部付近において膨らんでおり、前後方向Ｌに沿った断面において曲線状である。中央域Ｓ３の前後方向の中心よりも前側に第１領域３４１Ａによる変形基点を設けることにより、膣口付近の領域や膣口よりも前側の領域に対しても吸収コア３１を沿わせることができ、よりフィット性を向上できる。その結果、排泄口当接部（膣口）よりも臀部寄りの位置にて発生し易い身体と吸収性物品のすき間を小さくすることが可能となり、フィット感を高めることができる。膣口の前側に変形基点を設けることにより、陰唇に覆われている膣口に対して、より深くかつ柔軟に吸収コアを添わせることができ、よりフィット性を向上できる。また、第１領域３４１Ａの前後方向Ｌの長さが５ｍｍ以上であることにより、第１高目付部３３１と第２高目付部３３２を分断する効果をより得やすい。
【００９３】
第１低目付部３４１の第２領域３４１Ｂは、幅方向Ｗに対して傾斜して延びている。吸収性物品１が身体にフィットした状態で着用者が歩行すると、捻じれ方向の力がかかる。このとき、一対の第２領域３４１Ｂによって捻れ方向の力を吸収できる。図８は、吸収コアの変形態様を示した図である。着用者が片足ずつ前に出して歩行すると、両足によって挟まれる中央域Ｓ３は、前側域Ｓ１を基点として左右に揺動するように移動する。このとき、一対の第２領域３４１Ｂが吸収コア３１の外側縁３１Ｅから幅方向Ｗに対して傾斜して延びるため、当該第２領域が変形し、吸収コア３１の側部において捻じれ方向の力を吸収できる。捻じれ方向の力を吸収することにより、第２領域に隣接する高目付部等の変形を抑制し、身体に対するフィット性を維持できる。
【００９４】
第１領域３４１Ａと第２領域３４１Ｂは、実質的に連なっており、第２領域３４１Ｂによる力の吸収によって第１領域３４１Ａの変形を抑制できる。よって、第１高目付部３３１、第２高目付部３３２、及び第１領域３４１Ａは、捻じれ方向の力によって変形し難くなり、身体に対してフィットし続けることができる。第１領域が幅方向に対して傾斜して延び、かつ第２領域と連なることにより、第１領域によっても捻じれ方向の力を吸収できる。よって、第１高目付部３３１及び第２高目付部３３２のフィット性をより維持し易い。
【００９５】
装着時（下着を引き上げる際）及び着用時に脚によって挟まれた際に、幅方向の内側に向かう力は、第１領域及び第２領域を介して第１高目付部及び第２高目付部に作用する。第１領域及び第２領域が平面視にて前後方向に外側に向かう凸状の曲線形状であることにより、捻じれる力が掛かった際に当該高目付部から受ける力が分散する。よって、なだらかな凸形状を実現し、違和感なく、身体に対するフィット性を維持できる。
【００９６】
第１圧搾部８１が中高部３６の外側縁３６Ｅよりも幅方向Ｗの内側に位置するため、第１圧搾部８１がより中高部３６に力を伝達し易い。中央域Ｓ３において吸収コア３１がより隆起し、身体に沿って配置され易くなる。
【００９７】
第１低目付部３４１内に第１圧搾部８１が配置されていることにより、第１低目付部３４１の変形による型崩れを抑制でき、吸収コア３１の変形を持続できる。特に、第１低目付部３４１の第２領域３４１Ｂは、第１圧搾部８１によって剛性が高くなり、第２領域が繰り返し変形することができ、捻じれ方向の力を吸収し続けることができる。
【００９８】
また、第１圧搾部８１は、平面視にて第１低目付部３４１の外縁よりも内側のみに配置されている。すなわち、第１圧搾部は、第１低目付部３４１を超えて設けられていなく、第１低目付部内で終端している。着用者の脚が吸収コア３１の外側縁３１Ｅに当たった際に、第１圧搾部８１によって吸収コア３１を押圧するよりも前に第１低目付部３４１が変形し、吸収コア３１が凸状に変形し易い。比較的剛性が高い第１圧搾部８１が直接脚に当たり難く、装着感の悪化を抑制できる。第１圧搾部８１が第１低目付部３４１内の吸収コア３１を押圧し、第１低目付部３４１を超えた領域で吸収コア３１を押圧することを抑制できる。また、第１低目付部３４１よりも目付が高い領域に第１圧搾部８１が到達すると、第２領域３４１Ｂによる変形を吸収しつつも、捻じれ方向の力を目付が高い領域に伝達し、捻じれ方向の力を第２領域によって吸収できないおそれがある。第１圧搾部８１が第１低目付部３４１内で終端し、中目付部３５及び高目付部３３に到達していないため、第２領域３４１Ｂの変形によって捻じれ方向の力を吸収でき、他の領域に捻じれ方向の力が伝播することを抑制できる。なお、本発明における外縁は、幅方向の縁（外側縁及び内側縁）及び前後方向の縁（前端縁及び後端縁）を含む概念である。
【００９９】
第１低目付部３４１よりも前側には、第１前後圧搾部８４が設けられ、第１低目付部３４１と第２低目付部３４２の間には、第２前後圧搾部８５が設けられている。幅方向Ｗの内側に向かう力が掛かった際に、第１前後圧搾部８４と第２前後圧搾部８５を介して吸収コア３１を幅方向Ｗの内側に押圧でき、吸収コア３１がより身体側に隆起し易くなる。また、第２前後圧搾部８５によって、第１低目付部３４１が設けられた領域と第２低目付部３４２が設けられた領域を分断できる。よって、第１低目付部３４１と第２低目付部３４２との間の領域と、第２低目付部３４２よりも後側の領域と、がそれぞれ身体に沿うように変形する。
【０１００】
吸収性物品１の後側域Ｓ２は、着用者の臀部に対向して配置される。当該後側域Ｓ２には、第２低目付部３４２が設けられている。当該臀部に対向して配置される領域に第２低目付部３４２による変形基点が形成され、臀部の丸みに沿って吸収コア３１を配置することができる。
【０１０１】
第２低目付部３４２は、中央域Ｓ３よりも後側において、幅方向Ｗに間隔を空けて一対で設けられてよい。すなわち、一対の第２低目付部３４２は、第１低目付部３４１のように幅方向Ｗに連なっていない。臀部は、幅方向Ｗに沿った断面においても丸みを帯びている。後側域Ｓ２の吸収コア３１に幅方向Ｗに連続する変形基点が形成されると、吸収コア３１の一部が身体から離れるおそれがある。第２低目付部３４２が幅方向Ｗに間隔を空けて配置されているため、第２低目付部３４２が設けられた各領域と、これらの間の領域と、がそれぞれ身体に沿い易くなる。
【０１０２】
第２低目付部３４２の少なくとも一部に重なって第２圧搾部８２が設けられている。第２低目付部３４２が変形し、当該力を吸収するとともに、第２低目付部３４２に重なる第２圧搾部８２が幅方向Ｗの内側に向けて力を伝達する。よって、幅方向Ｗの外側から幅方向Ｗの内側に吸収コア３１が押圧され、着用者の身体に向かって吸収コア３１が隆起する。
【０１０３】
第２低目付部３４２が幅方向Ｗに対して傾斜し、かつ第２圧搾部８２が第２低目付部３４２に沿って延びているため、第２圧搾部８２によって力を伝達する領域は、前後方向Ｌに一定の範囲を占める。よって、後側域Ｓ２において前後方向Ｌの一定の範囲に亘って、幅方向Ｗの内側に吸収コア３１が押圧され、着用者の臀裂に向かって隆起する。よって、着用者の臀裂に密着し、漏れを抑制できる。
【０１０４】
第２圧搾部８２は、平面視にて第２低目付部３４２の外縁よりも内側のみに配置されている。すなわち、第２圧搾部８２は、第２低目付部３４２を超えて設けられていない。第２低目付部３４２内に第２圧搾部８２が配置されているため、第２低目付部３４２の変形による型崩れを抑制でき、吸収コア３１の変形を持続できる。また、着用者の脚が吸収コア３１の外側縁３１Ｅに当たった際に、第２圧搾部８２によって吸収コア３１を押圧するよりも前に第２低目付部３４２が変形し、吸収コア３１が凸状に変形し易い。比較的剛性が高い第２圧搾部８２が直接脚に当たり難く、装着感の悪化を抑制できる。
【０１０５】
後側域Ｓ２には、第３低目付部３４３も設けられている。当該臀部に対向して配置される領域に第２低目付部３４２及び第３低目付部３４３による変形基点が形成され、吸収コア３１がより臀部の丸みに沿い易い。また、第１低目付部３４１、第２低目付部３４２及び第３低目付部３４３は、前後方向Ｌに間隔を空けて設けられている。吸収性物品には、前後方向Ｌに間隔を空けて３つの変形基点が形成される。よって、前後方向に沿う断面における身体の丸みに対して吸収コア３１がより沿い易くなる。
【０１０６】
第３低目付部３４３は、ヒップフラップ４の外側縁４Ｅよりも前側に設けられてよい。ヒップフラップの外側縁は、ヒップフラップ４の最大幅の位置である。ヒップフラップ４の最大幅の位置は、一般的に、臀裂を伝って流れた体液の漏れを抑制するために、臀裂よりも後側に配置されるようにされる。当該ヒップフラップ４の外側縁４Ｅよりも前側に第３低目付部３４３が設けられているため、臀裂に当たる領域に変形基点が形成され、排泄口に近い位置で吸収コア３１を身体の丸みに沿わせ易い。また、一般的に、臀裂は、幅が狭い領域である。当該臀裂に当たる吸収コア３１の目付が高いと、臀裂と吸収性物品との間にすき間が生じ易いことがある。臀裂に当たる領域に第３低目付部を配置し、吸収コア３１の目付を低くすることにより、身体に向かって凸状に吸収コア３１を変形させつつ吸収要素を身体に密着させることが可能となる。
【０１０７】
加えて、ヒップフラップ４の最大幅の位置では、第３低目付部等による変形基点を設けられてなく、身体に向かって凸状に変形した吸収コア３１を身体に密着させつつ、下着を介して吸収性物品によって身体を覆うように配置することができる。
【０１０８】
第３低目付部３４３の少なくとも一部に重なって第３圧搾部８３が設けられている。第３低目付部３４３が変形し、当該力を吸収するとともに、第３低目付部３４３に重なる第３圧搾部８３が幅方向Ｗの内側に向けて力を伝達する。よって、第３圧搾部を介しても幅方向Ｗの外側から幅方向Ｗの内側に吸収コア３１を押圧し、着用者の身体に向かって吸収コアが隆起する。
【０１０９】
第３低目付部３４３が幅方向Ｗに対して傾斜し、かつ第３圧搾部８３が第３低目付部３４３に沿って延びているため、第３圧搾部８３によって力を伝達する領域は、前後方向Ｌに一定の範囲を占める。よって、後側域において前後方向の一定の範囲に亘って、幅方向Ｗの外側から幅方向Ｗの内側に吸収コア３１が押圧される。
【０１１０】
第３圧搾部８３は、平面視にて第３低目付部３４３の外縁よりも内側のみに配置されている。すなわち、第３圧搾部８３は、第３低目付部３４３を超えて設けられていない。第３低目付部３４３内に第３圧搾部８３が配置されているため、第３低目付部３４３の変形による型崩れを抑制でき、吸収コア３１の変形を持続できる。また、着用者の脚が吸収コア３１の外側縁３１Ｅに当たった際に、第３圧搾部８３によって吸収コア３１を押圧するよりも前に第３低目付部３４３が変形し、吸収コア３１が凸状に変形し易い。比較的剛性が高い第３圧搾部８３が直接脚に当たり難く、装着感の悪化を抑制できる。
【０１１１】
後側域Ｓ２には、前後低目付部３４５が設けられている。図６及び図７に示すように、前後低目付部３４５は、吸収コア３１の幅方向Ｗの中心を跨いで前後方向Ｌに延びているため、吸収コア３１に前後低目付部３４を頂点とした凸状の変形が前後方向に延びて形成される。後側域Ｓ２に幅方向Ｗの内側に向かう力がかかると、前後低目付部３４５を基点に吸収コア３１が変形する。詳細には、吸収コア３１は、幅方向Ｗに沿った断面において前後低目付部３４５を頂点とした凸形状に変形し易い。吸収コア３１の凸形状の頂点は、吸収コア３１の幅方向Ｗの中央に位置しているため、吸収コア３１が着用者の臀裂に沿って配置され易い。前後低目付部３４５が第２高目付部３３２よりも後側に位置するため、第２高目付部３３２による吸収コア３１の厚みによるフィット性を維持しつつ、前後低目付部３４５を頂点とした変形を実現でき、膣口及び臀裂の両方に対するフィット性を向上できる。
【０１１２】
前後低目付部３４５は、前後方向Ｌにおいて第２低目付部３４２の後端縁を跨いでよい。着用時に幅方向Ｗの外側から幅方向Ｗの内側に向かう力がかかると、第２低目付部３４２が変形し、当該力を吸収し、更に当該力を受けると、第２低目付部３４２よりも幅方向Ｗの内側の領域が着用者側に隆起する。このとき、前後低目付部が吸収コア３１の幅方向Ｗの中央に設けられているため、第２低目付部よりも幅方向Ｗの内側の領域が前後低目付部３４５を頂点として凸状に変形し易い。前後低目付部３４５が第２低目付部３４２の後端縁を跨いで延びているため、前後低目付部３４５を頂点とした凸状の変形が、第２低目付部３４２が設けられた領域から第２低目付部３４２よりも後側の領域に亘って形成される。
【０１１３】
前後低目付部３４５の後端縁は、第３低目付部３４３よりも前側に設けられてよい。臀裂よりも後側の領域は、一般的に臀部の膨らみが少なく、フラットな状態で吸収コア３１を当てることが好ましい。前後低目付部３４５が第３低目付部３４３よりも前側に設けられているため、前後低目付部３４５による凸状の変形が臀裂よりも後側に形成されることを抑制し、臀裂よりも後側の領域の吸収コア３１がフラットになり易い。
【０１１４】
第２低目付部３４２と第３低目付部３４３の間には、第３前後圧搾部８６が設けられている。幅方向Ｗの内側に向かう力が掛かった際に、第３前後圧搾部８６を介して吸収コア３１が幅方向Ｗの内側に押圧され、吸収コア３１がより身体側に隆起し易くなる。また、第２低目付部３４２が設けられた領域と第３低目付部３４３が設けられた領域を第３前後圧搾部８６によって分断できる。よって、第２低目付部３４２と第３低目付部３４３との間の領域と、第３低目付部３４３よりも後側の領域が身体に沿うように変形する。
【０１１５】
第１低目付部３４１、第２低目付部３４２及び第３低目付部３４３のうち、少なくとも第１低目付部３４１は、吸収性物品１を前後方向に折り畳むため折り線を有しない領域に配置されてよい。換言すると、第１低目付部３４１は、平面視にて折り線に重ならなくてよい。折り線は、前後方向に吸収性物品を折り畳むための線であり、幅方向に沿っている。第１低目付部３４１の第１領域３４１Ａが折り線を有しない領域に配置されていてもよいし、第１低目付部３４１の第２領域３４１Ｂが折り線を有しない領域に配置されていてもよいし、第１領域３４１Ａ及び第２領域３４１Ｂの両方が折り線を有しない領域に配置されていてもよい。折り癖によって第1低目付部が変形し難くなることを抑制し、着用者の脚によって挟まれた際に第１低目付部等が変形し易くなる。なお、折り線は、吸収性物品を個別に包装する包装シートと共に折り畳まれる折り線であってもよいし、吸収性物品１のみを折り畳むための折り線であってもよい。
【０１１６】
防漏ギャザー６０の第１基点部６３は、中央域Ｓ３において吸収コア３１の外側縁３１Ｅよりも幅方向Ｗの外側に配置されてよい。中央域Ｓ３の吸収コア３１の外側縁３１Ｅよりも内側の領域は、第１低目付部３４１によって変形し、中央域Ｓ３の吸収コア３１の外側縁よりも外側の領域は、第１低目付部３４１によって変形せず、幅方向Ｗの位置が安定し易い。第１基点部６３の幅方向Ｗの位置が安定し、防漏ギャザー６０の立ち上がり基点が安定する。
【０１１７】
防漏ギャザー６０の第２基点部６４は、前側域Ｓ１及び後側域Ｓ２において、吸収コア３１に重なる領域に配置されてよい。前側域Ｓ１の第２基点部６４と後側域Ｓ２の第２基点部６４は、中央域Ｓ３の第１基点部６３よりも幅方向Ｗの内側に位置している。収縮部６２の収縮によって前側域Ｓ１の第２基点部６４と後側域Ｓ２の第２基点部６４が前後方向において近づくように吸収コア３１が変形し易い。前後方向Ｌに沿う断面において、吸収コア３１がカーブ形状に変形し、身体の丸みに沿って吸収コア３１を配置し易くなる。また、第１基点部６３が第２基点部６４よりも幅方向Ｗの外側に位置するため、中央域Ｓ３において防漏ギャザー６０の立ち上がり高さを確保し、横漏れをより抑制できる。
【０１１８】
吸収性物品の伸長状態において、中央域Ｓ３では、収縮部６２の頂点（収縮部の内側縁）と第２基点部６４の幅方向Ｗの距離は、幅方向において中高部を挟んで配置された一対の前後圧搾部の距離に対する１／２倍以上であってよい。幅方向において中高部を挟んで配置された一対の前後圧搾部は、具体的には、第１高目付部３３１を挟んで配置された第１前後圧搾部８４と、第２高目付部３３２を挟んで配置された第２前後圧搾部８５である。幅方向において中高部を挟んで配置された一対の前後圧搾部間は、着用者の脚によって挟まれることによって凸状に変形する領域である。第１基点部６３から立ち上がる収縮部の高さが、凸状に変形した吸収コア３１の高さと同じ又は当該吸収コア３１の高さよりも高くなる。よって、防漏ギャザー６０によって横漏れを防止できる。また、前側域Ｓ１及び後側域Ｓ２においても、収縮部６２の頂点（収縮部の内側縁）と第２基点部６４の幅方向Ｗの距離は、幅方向において中高部を挟んで配置された一対の前後圧搾部８４及び８５の距離に対する１／２倍以上であってよいし、前側域において前後方向に延びる一対の第１前後圧搾部８４間の距離に対する１／２倍以上であってよいし、後側域において前後方向に延びる一対の第３前後圧搾部８６間の距離に対する１／２倍以上であってよい。第１基点部から立ち上がる収縮部の高さが、凸状に変形した吸収コア３１の高さと同じ又は当該吸収コア３１の高さよりも高くなる。
【０１１９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１２０】
例えば、上述の実施形態では、中央域Ｓ３は、ウイング域と同義であったが、他の形態において、中央域Ｓ３は、中高部によって規定されてよい。具体的には、中央域は、前後方向における中高部の前端縁と中高部の後端縁との間の領域であってよい。本実施の形態の吸収性物品のように中高部が複数設けられている構成にあっては、最も前側に位置する中高部の前端縁と最も後側に位置する中高部の後端縁との間の領域であってよい。このような構成によれば、比較的厚みの厚い中高部をより身体にフィットさせ、漏れを低減することができる。
【符号の説明】
【０１２１】
１    ：吸収性物品
１０    :表面シート
１５    ：サイドシート
２０    ：裏面シート
３１    ：吸収コア
３３    ：高目付部
３３１    ：第１高目付部
３３２    ：第２高目付部
３４    ：低目付部
３４１    ：第１低目付部（低目付部）
３４１Ａ  ：第１領域
３４１Ｂ  ：第２領域
３４２    ：第２低目付部
３４３    ：第３低目付部
３４５    ：前後低目付部
３５    ：中目付部
３６    ：中高部
３８    ：貫通孔
６０    ：防漏ギャザー
６１    ：防漏弾性部材
６２    ：収縮部
６３    ：第１基点部（基点部）
６４    ：第２基点部（基点部）
８１    ：第１圧搾部
８２    ：第２圧搾部
８３    ：第３圧搾部
８４    ：第１前後圧搾部
８５    ：第２前後圧搾部
８６    ：第３前後圧搾部
Ｓ１    ：前側域
Ｓ２    ：後側域
Ｓ３    ：中央域
Ｌ      ：前後方向
Ｔ      ：厚み方向
Ｔ１    ：肌対向面側
Ｔ２    ：非対向肌面側
Ｗ      ：幅方向
【図１】
2019187660.tif 000003
【図２】
2019187660.tif 000004
【図３】
2019187660.tif 000005
【図４】
2019187660.tif 000006
【図５】
2019187660.tif 000007
【図６】
2019187660.tif 000008
【図７】
2019187660.tif 000009
【図８】
2019187660.tif 000010
【手続補正書】
【提出日】平成30年5月17日(2018.5.17)
【手続補正１】
【補正対象書類名】特許請求の範囲
【補正対象項目名】全文
【補正方法】変更
【補正の内容】
【特許請求の範囲】
【請求項１】
互いに直交する前後方向及び幅方向と、
吸収コアと、
着用者の排泄口に当接する排泄口当接部を有する中央域と、を有する吸収性物品であって、
前記吸収コアは、前記中央域における前記吸収コアの外側縁から前記幅方向の内側に向かい、かつ前記幅方向に対して傾斜して延びる第１低目付部と、前記第１低目付部よりも後側に設けられた第２低目付部と、を有し、
前記中央域には、前記吸収コアが厚み方向に圧縮された第１圧搾部が形成されており、
前記第１圧搾部は、前記第１低目付部の少なくとも一部に重なり、かつ前記第１低目付部に沿って延びており、
前記吸収性物品は、前記吸収コアの外側縁よりも前記幅方向の外側に延出し、使用時に折り返し可能なウイングを有し、
前記中央域は、前記前後方向における前記ウイングの前端縁と前記ウイングの後端縁との間の領域である、吸収性物品。
【請求項２】
互いに直交する前後方向及び幅方向と、
吸収コアと、
着用者の排泄口に当接する排泄口当接部を有する中央域と、を有する吸収性物品であって、
前記吸収コアは、前記中央域における前記吸収コアの外側縁から前記幅方向の内側に向かい、かつ前記幅方向に対して傾斜して延びる第１低目付部と、前記第１低目付部よりも後側に設けられた第２低目付部と、を有し、
前記中央域には、前記吸収コアが厚み方向に圧縮された第１圧搾部が形成されており、
前記第１圧搾部は、前記第１低目付部の少なくとも一部に重なり、かつ前記第１低目付部に沿って延びており、
前記吸収コアは、周囲の吸収コアよりも厚い中高部を有し、
前記中央域は、前記前後方向における前記中高部の前端縁と前記中高部の後端縁との間の領域である、吸収性物品。
【請求項３】
前記第１低目付部は、前記中高部の外側縁よりも前記幅方向の内側に延びている、請求項２に記載の吸収性物品。
【請求項４】
前記第１圧搾部は、前記中高部の外側縁よりも前記幅方向の内側に位置する、請求項２又は請求項３に記載の吸収性物品。
【請求項５】
前記吸収コアが厚み方向に圧縮された一対の前後圧搾部が、前記幅方向において前記中高部を挟んで配置されており、
前記吸収コアの肌対向面側に位置する表面シートと、
前記表面シートの肌対向面側に位置し、起立性の防漏ギャザーと、を有し、
前記防漏ギャザーは、防漏弾性部材の収縮によって起立する収縮部と、前記収縮部の立ち上がりの基点となる基点部と、有し、
前記中央域において、前記基点部は、前記一対の前後圧搾部の距離に対する１／２倍以上である、請求項２から請求項４のいずれか１項に記載の吸収性物品。
【請求項６】
前記中央域よりも前側に位置する前側域及び前記中央域よりも後側に位置する後側域において、前記基点部は、前記吸収コアに重なる領域に配置されている、請求項５に記載の吸収性物品。
【請求項７】
前記前側域及び前記後側域において、前記収縮部の頂点と前記基点部の前記幅方向の距離は、前記一対の前後圧搾部の前記幅方向の長さの１／２倍以上である、請求項６に記載の吸収性物品。
【請求項８】
互いに直交する前後方向及び幅方向と、
吸収コアと、
着用者の排泄口に当接する排泄口当接部を有する中央域と、を有する吸収性物品であって、
前記吸収コアは、前記中央域における前記吸収コアの外側縁から前記幅方向の内側に向かい、かつ前記幅方向に対して傾斜して延びる第１低目付部と、前記第１低目付部よりも後側に設けられた第２低目付部と、を有し、
前記中央域には、前記吸収コアが厚み方向に圧縮された第１圧搾部が形成されており、
前記第１圧搾部は、前記第１低目付部の少なくとも一部に重なり、かつ前記第１低目付部に沿って延びており、
前記吸収コアは、前記第２低目付部よりも後側に設けられた第３低目付部を有する、吸収性物品。
【請求項９】
前記吸収性物品は、前記中央域よりも後側において、前記幅方向の外側に膨らんだヒップフラップを有し、
前記第３低目付部は、前記ヒップフラップの外側縁よりも前側に設けられている、請求項８に記載の吸収性物品。
【請求項１０】
前記吸収コアは、前記吸収コアの前記幅方向の中心を跨ぎ、前記前後方向に延びる前後低目付部を有し、
前記前後低目付部の後端縁は、前記第３低目付部よりも前側に設けられている、請求項９に記載の吸収性物品。
【請求項１１】
互いに直交する前後方向及び幅方向と、
吸収コアと、
着用者の排泄口に当接する排泄口当接部を有する中央域と、を有する吸収性物品であって、
前記吸収コアは、前記中央域における前記吸収コアの外側縁から前記幅方向の内側に向かい、かつ前記幅方向に対して傾斜して延びる第１低目付部と、前記第１低目付部よりも後側に設けられた第２低目付部と、を有し、
前記中央域には、前記吸収コアが厚み方向に圧縮された第１圧搾部が形成されており、
前記第１圧搾部は、前記第１低目付部の少なくとも一部に重なり、かつ前記第１低目付部に沿って延びており、
前記吸収コアは、前記吸収コアの前記幅方向の中心を跨ぎ、前記前後方向に延びる前後低目付部を有し、
前記第２低目付部は、前記吸収コアの外側縁から前記幅方向の内側に向かい、かつ前記幅方向に対して傾斜して延びており、
前記前後低目付部は、前記前後方向において前記第２低目付部の後端縁を跨いでいる、吸収性物品。
【請求項１２】
互いに直交する前後方向及び幅方向と、
吸収コアと、
着用者の排泄口に当接する排泄口当接部を有する中央域と、を有する吸収性物品であって、
前記吸収コアは、前記中央域における前記吸収コアの外側縁から前記幅方向の内側に向かい、かつ前記幅方向に対して傾斜して延びる第１低目付部と、前記第１低目付部よりも後側に設けられた第２低目付部と、を有し、
前記中央域には、前記吸収コアが厚み方向に圧縮された第１圧搾部が形成されており、
前記第１圧搾部は、前記第１低目付部の少なくとも一部に重なり、かつ前記第１低目付部に沿って延びており、
前記吸収性物品は、前記吸収性物品を前後方向に折り畳むための折り線を有し、
前記第１低目付部は、前記折り線を有しない領域に配置されている、吸収性物品。
【請求項１３】
前記第２低目付部は、前記中央域よりも後側に設けられている、請求項１から請求項１２のいずれか１項に記載の吸収性物品。
【請求項１４】
前記吸収コアの肌対向面側に位置する表面シートと、
前記表面シートの肌対向面側に位置し、起立性の防漏ギャザーと、を有し、
前記防漏ギャザーは、防漏弾性部材の収縮によって起立する収縮部と、前記収縮部の立ち上がりの基点となる基点部と、有し、
前記中央域において、前記基点部は、前記吸収コアの外側縁よりも前記幅方向の外側に配置されている、請求項１から請求項１３のいずれか１項に記載の吸収性物品。
【請求項１５】
前記前後方向における前記第１低目付部と前記第２低目付部の間の領域には、前記吸収コアが厚み方向に圧縮され、かつ前記前後方向に延びる前後圧搾部が形成されている、請求項１から請求項１４のいずれか１項に記載の吸収性物品。
【請求項１６】
前記第２低目付部は、前記中央域よりも後側において、前記幅方向に間隔を空けて一対で設けられている、請求項１から請求項１５のいずれか１項に記載の吸収性物品。
【請求項１７】
前記吸収性物品の平面視にて、前記第１圧搾部は、前記第１低目付部の外縁よりも内側のみに配置されている、請求項１から請求項１６のいずれか１項に記載の吸収性物品。
【請求項１８】
前記第２低目付部は、前記幅方向に対して傾斜して延び、
前記吸収コアが厚み方向に圧縮された第２圧搾部が、前記吸収性物品の平面視にて前記第２低目付部の外縁よりも内側のみに形成されている、請求項１から請求項１７のいずれか１項に記載の吸収性物品。